(57)【要約】【課題】本発明ではＲｅｄｕｓｅ，Ｒｅｕｓｅ，Ｒｅｃｙｃｌｅを前提にした環境破壊に繋がる森林、木材の省資源化に如何に業界が取り組み削減に出来るかに掛っている。【解決手段】外枠本体10において、木材が一番多く占めている、縦支柱左11及び縦支柱右12を鋼板製に置き換えることにより、外枠だけで60％の木材の消費をＲｅｄｕｃｅ（削減）することが可能である。又、地板43にも使用範囲を広めることが可能である。これらを実施が進めば森林破壊につながる様な伐採を削減し、強いては地球環境規模での温暖化に歯止めを掛ける事が可能である。又、環境問題には国の政策、業界こぞってのＲｅｃｙｃｌｅ、Ｒeｕｓｅ問題に取り組み早急に森林の伐採量を本提案では今は僅か年間６０万トン程度Reｄｕｃｅ（削減）しか出来ないが年々重ねる事により伐採トン数が減少し近い将来、少なからず地球環境に優しい産業になることが期待できる。【選択図】図1
2005087578.tif 000002
【特許請求の範囲】
【請求項１】
パチンコ遊技機の外枠において現行は殆どが木製（主にラワン材）が採用されているが、この外枠構造において左右縦支柱（側板）を鋼板製とした外枠構造で、縦支柱左においてはブラケット（蝶番）が鋼板製の一体構造であることを特徴とするパチンコ遊技機外枠。
【請求項２】
請求項1記載のパチンコ遊技機の外枠に現行は木材が主力で、外枠の殆どが１９ｍｍの板厚（ラワン材、樹脂材）を有しているが、これらに替わり鋼板製とし、板厚を3.2ｍｍ2.8ｍｍ、2.6ｍｍ等を使用し、通常ゲームを掌る領域の広める為、中枠構造を左右に拡大し両サイドで31.6ｍｍ前後の横幅拡張を可能とした外枠で少なくとも従来の前枠の大小に関係なく中枠構造で遊技盤を大きくする事を可能とした外枠。
【請求項３】
請求項2記載の外枠の幅方向寸法を31.6ｍｍ以上の拡張出来るので、この幅スペースを有効に活用することによりパチンコ遊技機のゲームのメインである液晶画面等の大型化（現行8インチを1０→12インチ更には14インチ）することにより、遊技領域を広げ、且つ遊技者に興味あるゲームを楽しませ、ときめきをより感じるゲームを可能としたパチンコ遊技機。
【請求項４】
本発明の外枠構造は現地での組立が可能で、取り付け、取り外しが簡単な為、嵩張らず、輸送コストの問題も少なからず回避出来、且つ環境に優しい材料でRｅｕｓｅ及びＲｅｃｙｃｌｅがより促進可能になる外枠。
【請求項５】
考案の連結部は左右縦支柱の鋼板と上下板を木材（主にラワン材）と全てが特殊ネジ止めする事が可能で連結部は、それぞれ印籠快を有し、挿入が容易に連結でき、左と右の支柱が簡単に組立可能で、ネジ止めと１部溶接も可能とした事を特徴とした外枠構造。
【発明の詳細な説明】
【技術分野】
【０００１】
本発明は、パチンコ遊技機の外枠構造に関する一体構造のブラケット（蝶番）を具備し、部品点数を削減（Ｒｅｄｕｓｅ）、組立が容易な外枠の構造に関する。
【背景技術】
【０００２】
従来のパチンコ遊技機において一般的にパチンコ遊技機は矩形の遊戯盤を表面に外レールと内レールによりほぼ円形上に遊戯領域を構成している。従来はこの遊戯領域は各社ほぼ同じに形成されている。又セル盤の大きさも交換を容易に便宜的に各社同じ大きさで製造されている。
【０００３】
近年はパチンコ遊技機のゲーム性の複雑化又射好性に伴もない、台メーカ各社はおおむね380ｍｍ程度の遊技板に限界があり、この領域内に如何に趣向を凝らしたゲーム内容にするか各社が凌ぎを削っているのが現状である。
【０００４】
現行の外枠はラワン材が主流（１部可塑性樹脂）でＲｅｃｙｃｌｅの観点よりラワン材では、廃棄台においては必ずしも歓迎されなかった。
一方熱可塑性樹脂製の外枠構造おいては、廃棄，Ｒｅｃｙｃｌｅの観点より、再生コストが掛かり、これも今一つ、利に叶って無いのが現実で金具と板材(又は樹脂)で構成され、これを分別するに大変な労力、コストを要している。
【０００５】
又廃棄台を環境問題では燃やすことも侭ならず、さりとてサーマルリサイクル（燃料）として使用するのも困難を極め、本提案の外枠分だけでもラワン材は推定１００万トン／年間の木材の伐採で、少なからず近隣諸国から、日本こそが森林破壊の張本人として槍玉に上がっているのが実情で、環境破壊、又温暖化にも拍車をかけているのが現実である。
【０００６】
しかし乍、業界の木材等の資源削減が、業界の方針である、3Ｒ即ちＲｅｄｕｓｅ、Ｒｅｕｓｅ、Ｒｅｃｙｃｌｅの早期実施を各メーカーに推進しているも遅々として進まないのが現実である。
【０００７】
そこで、本発明はこれらの具体的な事柄の解決に向け在来のものと併用し、双方の利点を鑑み、これからの環境に優しい、3Ｒの推進に拍車を掛ける意味でこの提案を行い、更に強度上の問題よりラワン材（或は樹脂）では従来の技術によるラワン材を組立た場合では強度面より、厚みを19ｍｍが限界である為、
パチンコ遊技機内部の遊技板に横方向の大きさが制限され、且つゲーム内容と、更には液晶画面の大きさの制限を受けこれ以上の発展が望めなかった。
【発明の開示】
【発明が解決しようとする課題】
【０００８】
従来のパチンコ遊技機では、各社共おおむね長方形をしており、その外形寸法（高さ809ｍｍ幅、521ｍｍ）が決まっており、この為遊技面積に影響する、中枠の寸法が決まってしまい、現状の寸法内で数ミリの拡張が困難で、大幅に自由な寸法でのゲーム盤（遊技盤）作ることが出来なかった。しかし乍限られた遊技盤の領域内で各種の回転物あるいは固定物体の配置におのずから限りがあり、各遊技台製造者の頭痛の種であった。又遊技者も大差ないゲーム内容では興味半減しているのが実情である。各社パチンコ球の挙動の範囲が制限され、球の挙動よりも色合いなど表示面での競争に頼らざるを得ないのが現実である。横幅を広くすることで盤面が大きくなり、一気に解決の出来るものとして大幅に期待が出来る。
【０００９】
本発明は以上のような事情を鑑み遊技盤を一気に大きくして、更には液晶画面がより大きくワイドな液晶画面（例えば14インチも）を装着可能により、パチンコ球の挙動範囲と挙動する時間を大幅にアップし、遊技者の目に優しく楽しいゲーム内容を実現し、ときめきを感じるゲーム内容のパチンコ遊技機としての期待出来る。
【００１０】
又本発明でラワン材（又樹脂成形品）を鋼板製に置き換えることにより幅寸法で31.6ｍｍ以上のスペースを確保できることで、パチンコ遊技機として遊技領域を大きくする事で、各社遊技台メーカーは大幅に趣向を凝らしたソフト面での開発がより可能である。
【００１１】
本発明はパチンコ遊技機の木材の使用量を60％以上のＲｅｄｕｓｅ（削減）で業界に環境問題もさることながら、ゲーム性向上で液晶画面を大型化でパチンコ遊技機業界のＲｅｃｙｃｌｅ,Ｒｅｕｓｅに拍車が掛かり活性化に繋がる。
【００１２】
本発明により鋼板厚さ3.2ｍｍ前後の厚みを確保し、左右あわせ31.6ｍｍ以上の有効利用可能なスペースを創生し、横幅の拡幅が可能により、10インチ以上のワイド液晶画面の装着が容易になり、強いてはゲーム性の向上に繋がり、遊技者の期待に答える事の出来る、新しいパチンコ遊技機の提供が可能となる。又、一方標準化で各社共通に外枠に規格化し鋼板のこのフレームが再使用出来れば更なる業界の発展に繋がる事が期待出来る。
【課題を解決するための手段】
【００１３】
上記課題を解決するための手段として、請求項1のラワン材（樹脂材）では強度面で今日に至るまでの長い間、板厚を経験的に19ｍｍで統一され現在に至っているが、強度を確保する為に、木材に各々に溝を形成され様々な改良対策を実施しているが鋼板材の使用で応力、強度面より、板厚を1/5以下にすることが可能である。
【００１４】
そして強度面で3ｍｍ前後の板厚さにして、左右の支柱のみ鋼板材でどうして、木材にする必要のある個所、例えば天板（上板）においてラワン材を1部取り付けることが出来れば運搬時に釘等で簡単に係留が可能とし、又下部においてもラワン材が必要なであれば板金に簡単に具備出来ることが可能でいずれの部材も装着が可能である。
【００１５】
しかも、島に設置し易い様に鋼板には予め、ねじ、釘用の穴を数ヶ所、所定の位置に明けておく事も可能である為ラワン材と同じ様に固定が可能である為、現地で簡単に装着及び着脱が可能である。
又、現行の島の取り付け方法より、天板、地板に木材（ラワン材）を使用して外枠を形成することで今まで通りの島取り付けを可能とし鋼板と木材とを併用したのが本考案の主眼とした発明点でもある。
【発明の効果】
【００１６】
以上の説明したように、本発明の効果は資源の削減Ｒｅｄｕｓｅ，再生Ｒｅｃｙｃｌｅ、再利用Ｒｅｕｓｅと何れにも対応した外枠で有る。
また主要の部材である左支柱側板及び右支柱側板が本発明では鋼板で構成されてパチンコ遊技機の外枠のみで60％を占めてお森林資源の削減にも繋がる、約60％の再利用が可能で且つ、組立が簡単で現地でも組立が可能となり結果的に安価となる。
又、横幅スペースの創生で広くなる分を有効に遊技盤のゲーム性を向上と同時に液晶画面の大型化が得られことより高度のゲームを提供できる利点がある。
【発明を実施するための最良の形態】
【００１７】
縦支柱側板を鋼板製の一体構造にすることにより連環部の印籠決（インロウジャクリ）により強度を損なわず実現した。
【実施例１】
【００１８】
本発明の実施形態について図面に基づいて説明する。
図1〜図3はそれぞれパチンコ遊技機における外枠全体の実施例の一つで、図1は斜視図、図2は平面図、図3は部品組み付け順を示す展開斜視図である。
図示のように外枠10は左縦支柱鋼板11と右縦支柱鋼板12と下部地板13、上部上板14、と下部幕板15、を有し、基本的に構成されている。11〜15にはそれぞれ連結部を形成されており、それらを各々図5〜図8に示し、各連結部に鋼板部にも印籠決で容易に連関出来る方法を取っている。
各部連結によって外枠の矩形(長方形状)の形状が完成するが、連結が簡単でしかもＲｕｓｅ，Ｒｅｃｙｃｌｅに沿った外枠おいては様々な組み合わせも容易に可能である。
【００１９】
図5では、縦支柱鋼板11と横上板14とが連結部を示しており、支柱鋼板上部にブラケット（上蝶番）11ａが一体物構造の鋼板で構成され、更に印籠決に形成された横溝11ｂが形成されており、木材（ラワン材又は樹脂材）で形成された上板14の印籠決（インロージャクリ）加工された嵌合部14ｄ部を水平に挿入することにより、11ｄと14ｄが連環され、連結を完全にする為、特殊ビス（スレンダービス・タピックス等）23ｂを採用し、支柱鋼板左上部に形成された皿状ネジ穴11ｂ、に貫通させて横上板１４ｂにそれぞれにねじ込みを行う。
又、支柱上部形成された皿状穴11ｃに対向するネジ穴11c‘には特殊ネジ（タピックスタッピングネジ等）21ｃがねじ込まれ、夫々に対向した形で14ｃを貫通させネジ穴に連結される、この場合支柱11に鋼板と一体形成されたの穴11ｃ’に強力にネジ込まれ頑強に天板（上板）14と完全に連結できる、従来の技術では図4の38に示すようにバーリング加工した補強鋼板を別にあてがい補強し結合していた。
この場合の天板14（上板）は木材を主としているも、図1,図3に示すように天板（上板）はラワン材他、樹脂材を採用している、又図９に示すように一部鋼材でも可能としたその実施例を図9に示している。
【００２０】
図3では本考案の最も主眼とした、天板14、地板13を従来と同じにした木材を採用したことにより、今までの全部木材（ラワン材）で構成されたものと同様に遊技場での島への取り付け、あるいは運搬時の諸問題にも対応した構造の外枠が可能となる。
【００２１】
図6では、左縦支柱板金11と地板13との連結部を示しており、左縦支柱板金下部に一体構造で構成され、印籠決（インロージャクリ）に形成された横溝11ｇに木材（ラワン材又は樹脂材）で構成された地板13の印籠決（インロージャクリ）加工された嵌合部13ｇ部を水平に挿入することにより、11ｇと13ｇが連結されて、連結を完全にする為の特殊ビス23ｆを支柱左下部に形成された皿状ネジ穴11fに貫通させて横地板１3fにそれぞれにネジ込を行い地板13と連結を行う。
【００２２】
又、支柱左下部に形成された皿状穴下部より11ｅに対向するネジ穴1３ｅには特殊ネジ（タッピックス等）21ｅが１１ｅ‘のネジ穴にねじ込まれ夫々に対向した形で地板13と頑強に連結される。又、縦支柱左11に同一鋼板で形成された直角方向に一体構造のリブを形成し下面部と垂直部のツナギを容易にする為に、縦支柱左11の下部には板厚分段状に窪ませ連結を容易にして、ネジ穴11ｋにはタッピングネジ22ｋを裏面よりネジ込み連結する縦支柱左11の下面部と垂直部が、更に頑強に連結固定され、縦支柱左11の直角あるいは水平性を形成する為に本発明では重要な役割を果たしている。
又この作用は縦支柱左11の上部にも同様に形成されたネジ穴に組み込まれ連結を頑強にしている。
【００２３】
この場合の地板は木材を主としているも、図3,図6に示すように地板はラワン材他、樹脂材を採用も可としている。又図９に示すように一部鋼板材でも可能でその具体例を図9に示す。
【００２４】
図7では、縦支柱板金右12と天板14との連結部を示しており、右支柱上部に一体で構成された、印籠決（インロージャクリ）に形成された横溝１２ｉに天板１4に印籠決（インロージャクリ）に加工された14ｉを互いに連環させる為に木材（ラワン材又は樹脂材）と縦支柱板金１２ｉと嵌合部14ｉ部を水平に挿入することにより、１２ｉと14ｉが連結される。連結を完全にする為、特殊ビス（スレンダービス等）23ｉを支柱右上部に形成された皿状ネジ穴12ｊに貫通させて天板１4の穴14ｊにそれぞれに対向した状態でねじ込みを行う。この場合支柱12に鋼板と一体形成されたのネジ穴に強力にネジ込まれ頑強に天板（上板）14と完全に連結できる。
【００２５】
又、支柱上部形成された皿状穴31ｊに対向するネジ穴31ｊ‘にはタッピングネジ23ｊがねじ込まれ夫々に対抗した形で頑強に連結される。
この場合の横上板は木材を主としているも、図1,図3に示すように天板（上板）はラワン材他、樹脂材を採用又図９に示すように一部鋼板材でも可能である。
【００２６】
図8では、右縦支柱板金12と地板13との連結部を示しており、支柱下部に一体で構成されている印籠決（インロージャクリ）に形成された横溝12ｒに木材（ラワン材又は樹脂材）に印籠決（インロージャクリ）に形成された地板13の右端を印籠決（インロージャクリ）に形成加工された嵌合部13ｒ部を水平に挿入することにより、対向する溝12ｒと13ｒがお互いに挿入連結される。連結を完全にする為特殊ビス23ｏを支柱右上部に形成された皿状ネジ穴12ｏに貫通させて地板１3ｏにそれぞれにネジ込を行い固定する。
【００２７】
又、支柱下部に形成された皿状穴裏面より13ｎに対向するネジ穴12ｎ‘には特殊タッピングネジ21ｎがねじ込まれ、夫々に対抗した形で頑強に連結され木材13ｎを介し１２ｎ’でお互いに対向した状態で締め付けるので強力な締め付け力を得ることが出来る。又、縦支柱右12に同一物体でＬ形状に形成された補強リブの穴12ｖにタッピングネジ22ｖがネジ込みを実施することにより更に頑強直角度を保ちつつ連結されので、縦支柱12の直角あるいは垂直性を形成する為に重要な役割を果たしている、又この作用は支柱の上にも同様に実施することにより更に頑強に連結形成されている。
【００２８】
この場合の地板は木材を主としているも、実施例の図3あるいは,図6に示すように地板はラワン材他、樹脂材を採用又実施例の図９に示すように一部鋼板材でも可能で縦支柱右41と地板43がいずれも鋼板で鋼板同士の場合は溶接でも良く、この場合その実施例を図9に示している。
【００２９】
図6については縦方向或いは横方向の強度に置いても木材同等以上の強度を確保できることが実験結果で判明している。又、図4に示す従来の技術では支柱右32に加工された溝32ｚと天板34に加工された溝34ｚを左支柱31と地板33、31と34とそれぞれ各コーナーに形成されており、木材同士を互いに組み合わせるので寸法が安定せず、対となる組立には難儀しているのが現況で有る。
【００３０】
かかる外枠構造において強度を確保して幅寸法で30ｍｍ以上も拡幅して、ゲーム面盤（セル盤）の面積を拡大した本発明でパチンコ遊技機メーカーは様々な客層に受けるゲームを提供し、遊技者はより楽しく画面が大きい為、目が疲れず、よりときめきを感じる、ゲームを楽しくプレイ出来ることになる。
図9には本発明の具体例として、全体を組立した斜視図であるが、在来の技術に連結部は剛性を高める為に１部簡単な溶接を行う事が可能でありネジで止める事も可能としている構造である実施例を示す。
【００３１】
図9では天板（上板）更に補助鋼板45を採用により縦方向の合成が更に増大し上方向の荷重に対し対応が可能となる。
図6及び図8に示すように地板13には13ｈの溝を予め加工してあり、この溝に左右の支柱に形成された11ｈのリブに嵌り込む構造で、現行の地板と同じ外形寸法に可能である。
【００３２】
図１０では実施例の示した支柱11及び12の連結方法として図5で示した例をより具体的に作業の効率を高める方策として、１１ｅに２２ｅの特殊ネジを水平方向に１４ｅまで締め付けを行い完全に固定する例を示し、この方法は単なる１例であり各コーナーの連結部に適用できる。
【産業上の利用可能性】
【００３３】
主要の部材である左支柱側板及び右支柱側板が本発明では鋼板製で実施することで木材の削減効果は、外枠全体の60％を占めており、少なからず森林資源の削減にも繋がる。更にはＲｅｕｓｅ及びＲｅｃｙｃｌｅが促進される。
又、木材資源のＲｅｄｕｓｅ（削減）により環境問題、地球温暖化、酸性雨等の諸問題が緩和されることが期待できる。
【図面の簡単な説明】
【００３４】
【図１】実施例で示しているパチンコ遊技機外枠構造の全体斜視図を示す。
【図２】実施例で示している外枠の全体の平面図である
【図３】実施例で示している外枠の各部品の取り付けを示す分解斜視図である。
【図４】現行外枠で木材（ラワン材）使用している外枠の斜視図を示す。
【図５】実施例に示している外枠支柱右上の分解斜視図である。
【図６】実施例に示している外枠支柱右下部の分解斜視図である。
【図７】実施例に示している外枠左下部の分解斜視図である。
【図８】実施例に示している外枠左下部の分解斜視図である。
【図９】実施例の事例に示した外枠全体が鋼板製の全体斜視図である。
【図１０】実施例に示した外枠左上部の連結方法で他1例を示す斜視図である。
【符号の説明】
【００３５】
１０    パチンコ遊技機の外枠全体斜視図を示す。
１１  外枠左の縦支柱板金
１１ａ外枠左の縦支柱と一体ブラケット（蝶番）
１２  外枠右の縦支柱板金
１３  外枠下の地板
１４  外枠上の天板
１５  外枠の幕板
１６  外枠下部蝶番
１９  外枠スベリ板金
３１  従来の縦支柱左（ラワン材）
３２  従来の縦支柱右（ラワン材）
３３  従来の地板
３７  従来の蝶番セット
３８  蝶番固定補強板金
４３  実施例の鋼板製の地板
４５  天板に鋼板を補強した実施例
４６  鋼板製の場合のコーナー補強板金実施例
【図１】
2005087578.tif 000003
【図２】
2005087578.tif 000004
【図３】
2005087578.tif 000005
【図４】
2005087578.tif 000006
【図５】
2005087578.tif 000007
【図６】
2005087578.tif 000008
【図７】
2005087578.tif 000009
【図８】
2005087578.tif 000010
【図９】
2005087578.tif 000011
【図１０】
2005087578.tif 000012